(57)【要約】【課題】成立フラグに応答した図柄を有効ライン上に容易に停止させることができ、熟練していない遊技者にも遊技の興趣を維持させることができる遊技機を提供する。【解決手段】回胴式の遊技機１に設けられた３つのリール１１，１２，１３の停止時における有効ライン上の図柄の組み合わせに応じて遊技価値が付与される。各リール１１，１２，１３はストップスイッチ２７，２８，２９の操作によって停止される。各リール１１，１２，１３の停止操作に際しては、選択スイッチ９１の操作によって決定されたモードに従い停止タイミングを知らせるようになっている。【選択図】　　　図１
2004105757.tif 000002
【特許請求の範囲】
【請求項１】
　複数種の図柄を循環させて可変表示するとともに、停止操作手段の操作に起因して可変表示を停止する可変表示手段を備え、該可変表示手段にて所定領域に停止された図柄の組み合わせが特定図柄の組み合わせである場合には所定の遊技価値を付与するように構成した遊技機において、
　前記各種図柄のうち所定の図柄を前記所定領域に停止させ得る停止操作手段の操作タイミングを遊技者に報知するタイミング報知手段を備え、
　該タイミング報知手段による報知は、前記可変表示手段の複数回の循環につき１回行われるように制御されていることを特徴とする遊技機。
【請求項２】
　複数種の図柄を循環させて可変表示するとともに、停止操作手段の操作に起因して可変表示を停止する可変表示手段を備え、該可変表示手段にて所定領域に停止された図柄の組み合わせが特定図柄の組み合わせである場合には所定の遊技価値を付与するように構成した遊技機において、
　前記各種図柄のうち所定の図柄を前記所定領域に停止させ得る停止操作手段の操作タイミングを遊技者に報知するタイミング報知手段を備え、
　該タイミング報知手段による報知は、前記可変表示手段の１循環につき１回行われるように制御されていることを特徴とする遊技機。
【請求項３】
　複数種の図柄を循環させて可変表示するとともに、停止操作手段の操作に起因して可変表示を停止する可変表示手段を備え、該可変表示手段にて所定領域に停止された図柄の組み合わせが特定図柄の組み合わせである場合には所定の遊技価値を付与するように構成した遊技機において、
　前記各種図柄のうち所定の図柄を前記所定領域に停止させ得る停止操作手段の操作タイミングを遊技者に報知するタイミング報知手段を備え、
　該タイミング報知手段による報知は、前記可変表示手段の１循環につき１回行われる第１タイミング報知又は複数回の循環につき１回行われる第２タイミング報知のいずれかによって行われるように制御されるように構成し、更に遊技者によって第１タイミング報知又は第２タイミング報知のいずれを実行するかを選択するタイミング操作手段を備えたことを特徴とする遊技機。
【請求項４】
　前記可変表示手段は、外周において周方向に前記複数種の図柄を順次付した回胴によって構成され、前記タイミング報知手段は、回胴の内周側に配置した発光手段と、発光手段の発光状況を遊技者が認識できるようにするために回胴に形成された光透過領域とから構成されていることを特徴とする請求項１乃至３のいずれかに記載の遊技機。
【請求項５】
　前記所定の図柄が前記所定領域に対応した位置に配置された時点で前記発光手段が発光するように制御されることを特徴とする請求項４記載の遊技機。
【請求項６】
　前記可変表示手段は、外周において周方向に前記複数種の図柄を順次付した回胴によって構成され、前記タイミング報知手段は、回胴の内周側にて回胴の幅方向に複数配置された発光手段と、各発光手段の発光状況を遊技者が認識できるようにするために回胴に各発光手段に対応して形成され、かつ図柄の種類に応じて配置された光透過領域とから構成されていることを特徴とする請求項１乃至３のいずれかに記載の遊技機。
【請求項７】
　前記光透過透過領域を透明又は半透明の材料により形成することを特徴とする請求項４乃至６のいずれかに記載の遊技機。
【請求項８】
　前記可変表示手段は、外周において周方向に前記複数種の図柄を順次付した回胴によって構成され、前記タイミング報知手段は、回胴の外周側より回胴の表面に光を照射する発光手段と、回胴の表面において図柄の種類に応じて前記光に基づく光反射性能を変化させてなる表面処理手段とから構成されていることを特徴とする請求項１乃至３のいずれかに記載の遊技機。
【請求項９】
　前記発光手段が、ブラックライトであり、前記表面処理手段が、前記ブラックライトからの光の照射によって反射される光が色の異なる蛍光色となる蛍光塗料であることを特徴とする請求項８記載の遊技機。
【発明の詳細な説明】
【技術分野】
【０００１】
　本発明は、スロットマシン等の遊技機に関するものである。
【背景技術】
【０００２】
　遊技機の一種として、複数の図柄（識別情報の一種）が所定間隔おきにリールに付されて構成された図柄列を可変表示した後に停止図柄を表示する可変表示手段を備えたスロットマシン等が知られている。この種の遊技機では、遊技者がストップスイッチをいわゆる目押しによって操作することにより可変表示手段の可変表示を停止させ、所定領域である有効ラインに表示される停止図柄が特定図柄であることを必要条件として、メダル払出を行ったり遊技者に有利な特別遊技状態を発生させる。特別遊技状態の一例としては、例えばビッグボーナスゲームやレギュラーボーナスゲームといった所定のゲームの進行に伴ってメダルの大量の払出を実現させ得る状態等がある。
【発明の開示】
【発明が解決しようとする課題】
【０００３】
　ここで、スロットマシンでは、例えばビッグボーナスゲームであれば、有効ライン上に「７」図柄が３つ揃った場合に発生するが、リール回転時に上から下へスクロールする図柄を判別することができない遊技者は、ビッグボーナスフラグが成立しているにもかかわらず、「７」図柄を有効ライン上に停止させることができない場合がある。他の図柄についても同様に有効ライン上に同一図柄の組み合わせ等が停止されないと、それに応じたメダル払出を受けることができない。
【０００４】
　従って、リール制御による強制的な引き込みが必ずしもできないような場合、例えば所定の図柄が一リール中に１個か少数個しか設定されていない場合にはストップスイッチの操作時期によっては、メダル払出の機会を逸したり、ビッグボーナス図柄等をなかなか停止させることができないといった事態が発生し、これは熟練していない遊技者において顕著であり、遊技の興趣を低下させる原因ともなり得る。
【０００５】
　本発明は、以上の事情に鑑みてなされたものであり、熟練していない遊技者でも内部抽選によって内部当選した図柄を容易に停止させることができ、そのような遊技者の興趣の低下を防止することができる遊技機を提供することを主たる目的の一つとしている。
【課題を解決するための手段】
【０００６】
　上記の課題を解決するために有効な手段等を以下に示す。なお、必要に応じてその作用、効果等についても説明する。
【０００７】
　手段１．複数種の図柄を循環させて可変表示するとともに、停止操作手段の操作に起因して可変表示を停止する可変表示手段を備え、該可変表示手段にて所定領域に停止された図柄の組み合わせが特定図柄の組み合わせである場合には所定の遊技価値を付与するように構成した遊技機において、
　前記各種図柄のうち所定の図柄を遊技者によって選択する選択操作手段と、該選択操作手段によって選択された図柄を前記所定領域に停止させ得る停止操作手段の操作タイミングを遊技者に報知するタイミング報知手段とを備えたことを特徴とする遊技機。
【０００８】
　手段１によれば、遊技者が選択操作手段によっていわゆる目押しをしてほしいと考える図柄を選択すると、その図柄を有効ライン等の所定領域に停止させ得るタイミングでタイミング報知手段による報知が行われる。その結果、遊技者が停止させようとする図柄を目視によって確認することができない場合にあっても、タイミング報知にあわせて停止操作手段を操作すれば当該図柄を所定領域に停止させることができ、遊技の興趣低下を防止し得る。
【０００９】
　手段２．手段１において、前記タイミング報知手段は、内部抽選によって当選となった図柄が前記選択操作手段で選択されている場合においてのみ、前記操作タイミングを遊技者に報知するように制御されることを特徴とする遊技機。
【００１０】
　手段２によれば、選択された図柄が内部抽選によって当選された場合にのみタイミング報知されるので、毎回タイミング報知することによる煩わしさを解消し得る。
【００１１】
　手段３．手段１又は手段２において、前記選択操作手段は、更に前記タイミング報知手段によるタイミング報知を実行しないようにする選択をも行うことができるように構成されていることを特徴とする遊技機。
【００１２】
　手段３によれば、遊技者の積極操作によってタイミング報知による目押し補助を無効化することも可能となるため、可変表示手段の可変表示中においても図柄を判別できるような熟練した遊技者の場合にはタイミング報知を行わないようにして遊技に集中させることもできる。
【００１３】
　なお、かかる手段３及びこれ以降において説明する各手段については、手段１で特定した選択操作手段は必須の要件ではなく、所定の図柄（例えば複数種の図柄のうちビッグボーナス図柄等のような遊技価値の比較的高い図柄）についてのみタイミング報知を実行するものとして特定してもよい。
【００１４】
　手段４．手段１乃至手段３のいずれかにおいて、前記タイミング報知手段による報知は、前記可変表示手段の１循環につき１回行われるように制御されていることを特徴とする遊技機。
【００１５】
　手段４によれば、可変表示手段の１循環につき１回のタイミング報知が行われるので、遊技者はそれを認識しつつ迅速に所定の図柄が所定領域に停止されるようなタイミングで停止操作手段を操作することができる。
【００１６】
　手段５．手段１乃至手段３のいずれかにおいて、前記タイミング報知手段による報知は、前記可変表示手段の複数回の循環につき１回行われるように制御されていることを特徴とする遊技機。
【００１７】
　手段５によれば、可変表示手段の複数循環につき１回のタイミング報知が行われるので、比較的動作の鈍い遊技者であっても停止タイミングをとりやすくなる利点がある。
【００１８】
　手段６．手段１乃至手段３のいずれかにおいて、前記タイミング報知手段による報知は、前記可変表示手段の１循環につき１回行われる第１タイミング報知又は複数回の循環につき１回行われる第２タイミング報知のいずれかによって行われるように制御されるように構成し、更に遊技者によって第１タイミング報知又は第２タイミング報知のいずれを実行するかを選択するタイミング操作手段を備えたことを特徴とする遊技機。
【００１９】
　手段６によれば、遊技者は迅速に所定の図柄で停止させたい場合には第１タイミング報知を、ゆっくりと確実に所定の図柄で停止させたい場合には第２タイミング報知を選択すればよいため、遊技者の力量に応じた目押し補助を実現することができる。
【００２０】
　手段７．手段１乃至手段６のいずれかにおいて、前記可変表示手段は外周において周方向に前記複数種の図柄を順次付した回胴（リール）によって構成され、前記タイミング報知手段は、回胴の内周側に配置した発光手段と、発光手段の発光状況を遊技者が認識できるようにするために回胴に形成された光透過領域とから構成されていることを特徴とする遊技機。
【００２１】
　手段７によれば、発光手段が発光すると光透過領域を介して遊技者にその発光状況が理解される。従って、所定の図柄と光透過領域とを対応させて当該所定の図柄が通過する際に発光状況が遊技者に認識されることで回胴の停止タイミングがわかる。このように発光手段を回胴の内周側に配置して光透過によってタイミング報知させるものは、構成が簡易であり製造コストも低廉となり、しかも遊技者は回胴を見ながら停止タイミングを図るものであるからタイミングを図り易くなる利点もある。なお、発光手段が１つで構成される場合は所定の図柄が前記所定領域に対応した位置に配置された時点で当該発光手段が発光するように制御される。
【００２２】
　手段８．手段１乃至手段６のいずれかにおいて、前記可変表示手段は外周において周方向に前記複数種の図柄を順次付した回胴（リール）によって構成され、前記タイミング報知手段は、回胴の内周側にて回胴の幅方向に複数配置された発光手段と、各発光手段の発光状況を遊技者が認識できるようにするために回胴に各発光手段に対応して形成され、かつ図柄の種類に応じて配置された光透過領域とから構成されていることを特徴とする遊技機。
【００２３】
　手段８によれば、発光手段が発光すると光透過領域を介して遊技者にその発光状況が理解される。従って、所定の図柄と光透過領域とを対応させて当該所定の図柄が通過する際に発光状況が遊技者に認識されることで回胴の停止タイミングがわかる。このように発光手段を回胴の内周側に配置して光透過によってタイミング報知させるものは、構成が簡易であり製造コストも低廉となり、しかも遊技者は回胴を見ながら停止タイミングを図るものであるからタイミングを図り易くなる利点もある。特に、手段８では、各種図柄に対応してそれぞれ発光手段及び光透過領域を設けたので、どの発光手段を発光させるかによって図柄の種類分けを行うことができる。
【００２４】
　なお、手段７又は手段８において、光透過領域としては、透明或いは半透明の材料でその領域を形成することが考えられるが、これ以外にも中空窓を形成するようにしてもよい。
【００２５】
　手段９．手段１乃至手段６のいずれかにおいて、前記可変表示手段は外周において周方向に前記複数種の図柄を順次付した回胴（リール）によって構成され、前記タイミング報知手段は、回胴の外周側より回胴の表面に光を照射する発光手段と、回胴の表面において図柄の種類に応じて前記光に基づく光反射性能を変化させてなる表面処理手段とから構成されていることを特徴とする遊技機。
【００２６】
　手段９によれば、回胴に付された図柄の種類によって光反射性能が異なるようにされていることから、光反射態様によって所定の図柄を識別することができる利点がある。なお、この場合、手段１において特定された遊技者による選択操作手段は必要ない。また、発光手段としてはブラックライトが好ましく、表面処理手段としてはブラックライトからの光の照射によって反射される光が色の異なる蛍光色となる蛍光塗料であることが好ましい。
【００２７】
　手段１０．手段１乃至手段９のいずれかにおいて、前記可変表示手段は、複数列の表示部（手段７，８，９では回胴）から構成されており、これらの表示部に表示される前記図柄の組合せによって前記特定図柄が構成されるものであることを特徴とする遊技機。
【００２８】
　表示部の数としては３つが一般的であり、その配列は横並びとするのが一般的である。但し、表示部の数を２又は４以上としてもよく、その配列を縦並びとすることも可能である。
【００２９】
　手段１１．手段１０において、停止操作手段は、各表示部に対応して複数設けられていることを特徴とする遊技機。
【００３０】
　かかる手段１１によって、各表示部の停止操作を個別に設けられた停止操作手段の操作で個々に行うことができる。
【発明の効果】
【００３１】
　以上のとおり、この発明によれば、熟練していない遊技者でも内部抽選によって内部当選した特定識別情報を容易に停止させることができ、そのような遊技者における遊技の興趣の低下を防止することができる。
【発明を実施するための最良の形態】
【００３２】
　以下に、遊技機を回胴式遊技機、具体的にはスロットマシンに適用した場合の一実施の形態につき図面に基づいて説明する。
【００３３】
　図１，２に示すように、スロットマシン１は、前面を開放した箱状のマシン本体２を有している。マシン本体２の前面側には前面開閉扉としてのフロントパネル３が開閉自在に取り付けられている。フロントパネル３が閉状態となっている場合、フロントパネル３によってマシン本体２の前面開放側が閉鎖される。フロントパネル３は閉状態にある場合には図示しないロック機構によって開放不能な状態にロックされており、そのロック状態はフロントパネル３に設けられた解除操作部たるキーシリンダ４に対する所定のキー操作によって解除されるように構成されている。
【００３４】
　フロントパネル３には、縦長の３つの表示窓５，６，７が横並びとなるように設けられている。表示窓５，６，７は透明又は半透明な材質により構成されており、各表示窓５，６，７を通して内部を視認可能な状態とされている。
【００３５】
　マシン本体２内には、可変表示手段を構成する左リール１１，中リール１２及び右リール１３が収納されている。各リール１１，１２，１３はそれぞれ円筒状（円環状）に形成されているが、少なくとも環状となっていればよい。各リール１１，１２，１３は、その中心軸線が当該リール１１，１２，１３の回転軸線となるように回転可能に支持されている。各リール１１，１２，１３の回転軸線は略水平方向に延びる同一軸線上に配設され、それぞれのリール１１，１２，１３が各表示窓５，６，７と１対１で対応している。従って、各リール１１，１２，１３の表面の一部はそれぞれ対応する表示窓５，６，７を通して視認可能な状態とされている。
【００３６】
　また、リール１１，１２，１３が回転すると、各表示窓５，６，７を通してリール１１，１２，１３は上から下へ向かって移動しているかのように映し出される。これら各リール１１，１２，１３はそれぞれステッピングモータ等のリールモータ１５，１６，１７（図４参照）に連結されており、各リールモータ１５，１６，１７の駆動により各リール１１，１２，１３が個別に、即ちそれぞれ独立して回転駆動し得る。
【００３７】
　各リール１１，１２，１３の外周面には、それぞれ識別情報としての図柄が多数設けられている。これらの図柄のうち、表示窓５，６，７を介して視認可能な図柄数は、主として表示窓５，６，７の上下方向の長さによって決定される所定数に限られている。本実施形態では各リール１１，１２，１３毎に全体を視認可能な図柄数は３個ずつとされている。
【００３８】
　ここで、各リール１１，１２，１３に付される図柄について説明する。図３には、左リール１１，中リール１２，右リール１３のそれぞれについての図柄配列が示されている。同図は、各リール１１，１２，１３表面の展開図とみても差し支えない。同図に示すように、各リール１１，１２，１３にはそれぞれ２１個の図柄が一列に設けられている。各リール１１，１２，１３に対応して番号が１〜２１まで付されているが、これは説明の便宜上付されたものであり、リール１１，１２，１３に実際に付されているわけではない。但し、以下の説明では当該番号を使用して説明する。
【００３９】
　図柄としては、ビッグボーナスゲームに移行するための第１特別図柄としての「７」図柄がある。「７」図柄としては白色のもの（例えば、左リール第２０番目。以下、適宜「白７」図柄と称す）と、赤色のもの（例えば、左リール第２１番目。以下、適宜「赤７」図柄と称す）とがある。また、レギュラーボーナスゲームに移行するための第２特別図柄としての「ＢＡＲ」図柄（例えば、左リール第１９番目）がある。また、リプレイゲームに移行するための第３特別図柄としての「リプレイ図柄」（例えば、左リール第１番目）がある。また、小役の払出が行われる小役図柄としての「スイカ」図柄（例えば、左リール第４番目）、「ベル」図柄（例えば、左リール第２番目）、「チェリー」図柄（例えば、左リール第３番目）がある。そして、図３に示すように、各リール１１，１２，１３において、各図柄の数や配置順序は全く異なっている。
【００４０】
　各図柄に関する払出枚数について説明する。小役図柄に関し、「スイカ」図柄が後述する有効ライン上に左・中・右と揃った場合には１５枚のメダル払出、「ベル」図柄が有効ライン上に左・中・右と揃った場合には８枚のメダル払出、左リール１１の「チェリー」図柄が有効ライン上に停止した場合には２枚のメダル払出が行われる。即ち、中リール１２及び右リール１３の「チェリー」図柄はメダル払出とは無関係であり、言わば無意味な図柄である。また、「チェリー」図柄に限っては、他の図柄との組合せとは無関係にメダル払出が行われるため、左リール１１の複数の有効ラインが重なる位置（具体的には上段又は下段）に「チェリー」図柄が停止された場合には、その重なった有効ラインの数を乗算した分だけのメダル払出が行われることとなり、結果として本実施の形態では４枚のメダル払出が行われる。
【００４１】
　また、その他の図柄に関しては、第１特別図柄（ビッグボーナス図柄）の組合せである「赤７」図柄又は「白７」図柄が同一色で有効ライン上に左・中・右と揃った場合には１５枚のメダル払出、第２特別図柄（レギュラーボーナス図柄）の組合せである「ＢＡＲ」図柄が有効ライン上に左・中・右と揃った場合には１５枚のメダル払出が行われる。
【００４２】
　更に、第３特別図柄の組合せである「リプレイ」図柄が有効ライン上に左・中・右と揃った場合にはメダル払出は行われない。その他の場合、即ち有効ライン上に左リール１１の「チェリー」図柄が停止せず、また左・中・右に同一図柄が揃わない場合には、一切メダル払出は行われない。
【００４３】
　また、本実施の形態では、更なる小役図柄の組合せとして、有効ライン上において左右リール１１，１３に「白７」図柄が、中リール１２に「ＢＡＲ」図柄が揃った場合には１５枚のメダル払出が行われ（以下、これを第１小役図柄と称す）、有効ライン上において左右リール１１，１３に「白７」図柄が、中リール１２に「赤７」図柄が揃った場合には１５枚のメダル払出が行われる（以下、これを第２小役図柄と称す）ように設定されている。但し、第１小役図柄及び第２小役図柄は、ビッグボーナスゲーム中にしか有効化されないように設定され、その他の場合にはたとえ第１小役図柄又は第２小役図柄が有効ライン上に揃っても何らメダル払出は行われない。
【００４４】
　なお、各リール１１，１２，１３は識別情報を可変表示する可変表示手段の一例であり、主表示部を構成する。但し、可変表示手段はこれ以外の構成であってもよい。例えば、ベルト式リール等の他の機械的なリール構成としてもよく、また、機械的なリール構成に代えて、或いはこれに加えて、液晶表示器，ドットマトリックス表示器等の電気的表示により識別情報を可変表示させるものを設けてもよく、この場合は表示形態に豊富なバリエーションをもたせることが可能となる。
【００４５】
　フロントパネル３には、各表示窓５，６，７を結ぶように、横方向へ平行となるように３本、斜め方向へたすき掛けとなるように２本、計５本の有効ラインが付されている。勿論、最大有効ライン数を６以上としてもよく、５未満としてもよく、所定条件に応じて最大有効ライン数を変更するようにしてもよい。これら各有効ラインに対応して、表示窓５，６，７群の正面から見て左側には有効ライン表示部２１，２２，２３が設けられている。第１有効ライン表示部２１は中央の横ライン（中央ライン）が有効化された場合に点灯等によって表示報知される。第２有効ライン表示部２２は上下の横ライン（上ライン及び下ライン）が有効化された場合に点灯等によって表示報知される。第３有効ライン表示部２３は一対の斜めライン（右下がりライン及び右上がりライン）が有効化された場合に点灯等によって表示報知される。
【００４６】
　フロントパネル３の表面のうち表示窓５，６，７の下方左側には、各リール１１，１２，１３を一斉（同時である必要はない）に回転開始させるために操作されるスタートレバー２５が設けられている。スタートレバー２５は可変表示を開始させるべく操作される開始操作手段又は始動操作手段を構成する。スタートレバー２５の右側には、回転している各リール１１，１２，１３を個別に停止させるために操作されるボタン状のストップスイッチ２７，２８，２９が設けられている。各ストップスイッチ２７，２８，２９は停止対象となるリール１１，１２，１３に対応する表示窓５，６，７の直下にそれぞれ配置されている。ストップスイッチ２７，２８，２９は可変表示を停止させるべく操作される停止操作手段を構成する。
【００４７】
　フロントパネル３の前面のうち表示窓５，６，７の下方右側には、投資価値としてのメダルを投入するためのメダル投入口３１が設けられている。メダル投入口３１は投資価値を入力する入力手段を構成する。また、メダル投入口３１が遊技者によりメダルを直接投入するという動作を伴う点に着目すれば、投資価値を直接入力する直接入力手段を構成するものともいえる。
【００４８】
　フロントパネル３の表面のうち表示窓５，６，７の下方左側には、投資価値としてのクレジットされた仮想メダルを一度に３枚投入するためのボタン状の第１クレジット投入スイッチ３２が設けられている。また、第１クレジット投入スイッチ３２の下方には当該スイッチ３２よりも小さなボタン状のスイッチとして、第２クレジット投入スイッチ３３及び第３クレジット投入スイッチ３４が設けられている。第２クレジット投入スイッチ３３はクレジットされた仮想メダルを一度に２枚投入するためのものであり、第３クレジット投入スイッチ３４は仮想メダルを１枚ずつ投入するためのものである。各クレジット投入スイッチ３２〜３４は前記メダル投入口３１とともに投資価値を入力する入力手段を構成する。また、メダル投入口３１が遊技者によりメダルを直接投入するという動作を伴うのに対し各クレジット投入スイッチ３２〜３４は貯留記憶に基づく仮想メダルの投入という動作を伴うに過ぎない点に着目すれば、投資価値を間接入力する間接入力手段を構成するものともいえる。
【００４９】
　なお、第１クレジット投入スイッチ３２は、１ゲームにつき投入できるメダル最大数（３枚）に達していないことを促すため、図示しない発光部材としてのランプが内蔵されている。当該ランプは、第１クレジット投入スイッチ３２のスイッチ操作が有効である状況時において点灯されて当該スイッチ３２の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００５０】
　フロントパネル３の表面のうちメダル投入口３１の左側には、ボタン状の切換スイッチ３６が設けられている。切換スイッチ３６は、メダル投入口３１に必要量より多く投入された投入メダルや、所定の遊技の結果遊技者に返還される獲得メダルの取扱形式を変更するために操作される。即ち、例えば電源投入時には、所定の最大値（例えばメダル５０枚分）となるまでの余剰の投入メダルはクレジットメダルとして貯留記憶するとともに獲得メダルもクレジットメダルとして貯留記憶するように設定しておく「クレジットモード」とし、切換スイッチ３６が操作されると、クレジットメダルがある場合にはその分を現実のメダルとして払い出すとともに余剰の投入メダルや獲得メダルも現実のメダルとして払い出すように設定された「ダイレクトモード」に切り換えられるようにしておく。そして、この切換スイッチ３６が操作される度に「クレジットモード」と「ダイレクトモード」とを交互に切り換えるようにしておけば、遊技者は自身の好みに応じた形式で遊技を実行することができる。かかる切換スイッチ３６は投入価値及び遊技価値の取扱形式を切り換える切換操作手段を構成する。また、クレジットされた仮想メダルを現実のメダルとして払い出すという機能に着目すれば、切換スイッチ３６は貯留記憶された遊技価値を実際に払い出すための精算操作手段を構成するものともいえる。
【００５１】
　フロントパネル３には、クレジットモード時に有効化されて貯留記憶されたメダル数を表示する残数表示部３８と、獲得メダルの枚数を表示する獲得数表示部３９とがそれぞれ設けられている。これら両表示部３８，３９は２桁の７セグメント表示器によって構成されているが、液晶表示器等によって代替することは当然可能である。
【００５２】
　スロットマシン１の下部には、マシン本体２の内部に収納されたホッパ装置４１からのメダルが排出されるメダル排出口４２と、メダル排出口４２から排出された現実のメダルが貯留される受皿４３とが設けられている。ホッパ装置４１は遊技価値たる現実のメダルを返還する出力手段を構成する。
【００５３】
　スロットマシン１の上部には、ビッグ報知部４５，レギュラー報知部４６，リプレイ報知部４７，小役報知部４８等の各種報知部が設けられている。これら各種報知部の配置場所は図示のものに限定されないし、共通の報知部で異なる態様の報知を行うようにしてもよい。
【００５４】
　ビッグ報知部４５は、各リール１１，１２，１３の停止時に第１特別図柄としての「赤７」図柄又は「白７」図柄が有効ライン上に揃った場合、ビッグボーナスゲームを獲得したことを点灯、点滅等によって表示報知する。レギュラー報知部４６は、各リール１１，１２，１３の回転停止時に第２特別図柄としての「ＢＡＲ」図柄が有効ライン上に揃った場合、レギュラーボーナスゲームを獲得したことを点灯、点滅等によって表示報知する。リプレイ報知部４７は、各リール１１，１２，１３の回転停止時に「リプレイ」図柄が有効ライン上に揃った場合、リプレイゲームを獲得したことを点灯、点滅等によって表示報知する。小役報知部４８は、各リール１１，１２，１３の回転停止時に小役図柄としての「スイカ」図柄或いは「ベル」図柄が有効ライン上に揃った場合又は「チェリー」図柄が左リール１１の有効ライン上に停止した場合、所定数のメダルを獲得したことを点灯、点滅等によって表示報知する。
【００５５】
　なお、これら各報知部４５〜４８は表示によって報知することとしたが、これに代えて或いはこれに加えて、スロットマシン１に備えられるスピーカ５０によって音声により報知してもよい。
【００５６】
　また、図示しないが、各リール１１，１２，１３の内周側や外周側に発光部材を設けてもよい。各リール１１，１２，１３の内周側の発光部材は光を各リール１１，１２，１３の内側から照射し、各リール１１，１２，１３からの透過光を遊技者に見せるものである。一方、各リール１１，１２，１３の外周側の発光部材は光を各リール１１，１２，１３の外側から照射し、各リール１１，１２，１３からの反射光を遊技者に見せるものである。そして、これら各発光部材の発光度合、発光タイミング、発光時間等によって各種演出効果を生じさせることも可能となる。
【００５７】
　図１に示すように、フロントパネル３における各リール１１〜１３の配設位置の右側には、処理手段又は報知手段を構成する補助表示部４９が設けられている。補助表示部４９は、本実施形態では表示内容の多様化及び表示演出の重厚化を意図して液晶表示器によって構成されているが、ドットマトリックス表示器等の他の表示器を使用してもよい。
【００５８】
　補助表示部４９は、遊技の進行に伴って各種表示演出を実行するためのものであり、各リール１１〜１３による遊技を主表示部によるものと考えることができることから、本実施形態では補助表示部４９と称している。補助表示部４９は遊技者に各種情報を与える等のナビゲーション的な機能を有する。なお、補助表示部４９に表示される内容については追って説明する。
【００５９】
　図４に示すように、スロットマシン１には、遊技に関する各種の制御を行うための制御装置５１が備えられている。制御装置５１は、制御を司るＣＰＵ，遊技プログラムを記憶したＲＯＭ，遊技の進行に応じた必要なデータを記憶するＲＡＭ，各種機器との連絡をとるポート，各種抽選の際に用いられる乱数発生器，時間計数や同期を図る場合などに使用されるクロックパルス発生回路等を含む制御回路基板を有し、その制御回路基板をボックスに収納してなる制御基盤ボックスによって構成されている。かかる制御装置５１は、スロットマシン１に内蔵されるメイン基盤としての機能を果たすものである。
【００６０】
　制御装置５１の入力側には、スタートレバー２５の操作を検出するスタート検出センサ６１、各ストップスイッチ２７，２８，２９の操作を個別に検出するストップ検出センサ６２，６３，６４、メダル投入口３１から投入されたメダルを検出する投入メダル検出センサ６５、各クレジット投入スイッチ３２〜３４の操作を検出すべく各スイッチ３２〜３４に個々に対応する各クレジット投入検出センサ６６，６７，６８、切換スイッチ３６の操作を検出する切換検出センサ６９、各リール１１，１２，１３の回転位置（原点位置）を個別に検出するリール位置検出センサ７１，７２，７３、ホッパ装置４１から払い出されるメダルを検出するホッパ検出センサ７４等の各種センサが接続されている。
【００６１】
　なお、投入メダル検出センサ６５は実際には複数個のセンサより構成されている。即ち、メダル投入口３１からホッパ装置４１に至るメダル通路は、メダルが１列で通行可能なように構成されている。そして、メダル通路には第１センサが設けられるとともに、それよりメダルの幅以上離れた下流側に第２センサ及び第３センサが近接（少なくとも一時期において同一メダルを同時に検出する状態が生じる程度の近接位置）して設けられており、これら第１乃至第３の各センサによって投入メダル検出センサ６５が設けられている。制御装置５１は、第１センサから第２センサに至る時間を監視し、その経過時間が所定時間を越えた場合にはコイン詰まり又は不正があったものとみなしてエラーとする。エラーになると、エラー報知が行われるとともにエラー解除されるまでの遊技者による操作が無効化される。また、制御装置５１は第２センサと第３センサとがオンオフされる順序をも監視し、第２，第３センサが共にオフ、第２センサのみオン、第２，第３センサが共にオン、第３センサのみオン、第２，第３センサが共にオフという順序通りになった場合で、かつ各オンオフ切換に移行する時間が所定時間内である場合にのみコインが正常に取り込まれたと判断し、それ以外の場合はエラーとする。このようにするのは、メダル通路でのメダル詰まりの他、メダルを投入メダル検出センサ６５付近で往復動させてメダル投入と誤認させる不正を防止するためである。
【００６２】
　制御装置５１の出力側には、各リールモータ１５，１６，１７を駆動させるモータ駆動回路８１、各種表示部２１〜２３，３８，３９，各種報知部４５〜４８を表示駆動させる表示駆動回路８２、ホッパ装置４１を駆動させるホッパ駆動回路８３、スピーカ５０を駆動させるスピーカ駆動回路８４、補助表示部４９を駆動制御する表示制御装置８５等が接続されている。
【００６３】
　かかる表示駆動回路８２、表示制御装置８５及びスピーカ駆動回路８４は、一体化された基盤として構成されており、メイン基盤たる制御装置５１との関係ではサブ基盤となっている。即ち、間接的な遊技に関する音声や表示についてはサブ基盤化によってメイン基盤の負担軽減を図っている。そして、かかるサブ基盤には、ＣＰＵ、ＲＯＭ、ＲＡＭ等が含まれており、制御装置５１からの信号を受け取った上で、サブ基盤が独自に各種報知部４５〜４８、補助表示部４９及びスピーカ５０を報知制御したり表示制御する。
【００６４】
　メイン基盤たる制御装置５１及びサブ基盤の一部たる表示制御装置８５は、上述のとおりＣＰＵ，ＲＯＭ，ＲＡＭ等を備えているが、以下の説明では、それらの現実の構成自体に拘束されず、制御装置５１を機能実現手段の集合体として捉えて説明する。即ち、以下に説明する各種機能はＣＰＵの制御下で実現される機能であり、その制御プログラムはＲＯＭ（場合によってはＲＡＭ）の記憶内容に基づくものであり、その時々の必要なデータはＲＡＭに一時的に記憶保持されることとなるが、それらのプログラム上の要件等については適宜のテーブル構成を採用する等で当業者がなし得るものであるため、個々には説明しない。但し、本実施形態の利点を把握するのに必要がある場合等については、適宜具体的な説明をする。
【００６５】
　制御装置５１は、「小役抽選手段」を備えている。小役抽選手段は、スタート検出センサ６１からの検出信号が入力されたタイミングによって、小役払出条件が成立したか否かの抽選を行う。本実施形態では小役として「スイカ」，「ベル」，「チェリー」等の複数種類が存在するので、小役抽選手段はどの種類の小役払出条件が成立したかの抽選を行い、各小役フラグの成立の有無が決定される。なお、小役フラグの成立確率その他のフラグ成立確率はいずれもメダル投入枚数に応じて変化するよう構成されており、概してメダル投入枚数が多い程遊技者に有利な抽選結果が得られるようになっている。従って、遊技者にとっては、１枚ベットや２枚ベットで遊技を行うよりも、３枚ベット（マックスベット）での遊技を実行することが有利である。
【００６６】
　制御装置５１は、「リプレイゲーム抽選手段」を備えている。リプレイゲーム抽選手段は、スタート検出センサ６１からの検出信号が入力されたタイミングによって、リプレイゲーム移行条件が成立したか否かの抽選を行い、これによってリプレイフラグの成立の有無が決定される。
【００６７】
　制御装置５１は、「リプレイゲーム制御手段」を備えている。リプレイゲーム制御手段は、通常遊技中にリプレイフラグが成立している場合、各リール１１，１２，１３の停止時に、後述するリプレイ成立テーブルの内容を参照しながら、一定の引き込み停止制御を加えて半強制的にリプレイ図柄を有効ライン上に停止させる。そして、有効ライン上にリプレイ図柄が停止することを条件に、次回の遊技を無償で行うことができるようにするものである。勿論、このリプレイゲームが行われる場合にも各種抽選は実行されている。
【００６８】
　制御装置５１は、「レギュラーボーナス抽選手段」を備えている。レギュラーボーナス抽選手段は、スタート検出センサ６１からの検出信号が入力されたタイミングによって、レギュラーボーナス移行条件が成立したか否かの抽選を行い、これによってレギュラーボーナスフラグの成立の有無が決定される。
【００６９】
　制御装置５１は、「レギュラーボーナス制御手段」を備えている。レギュラーボーナス制御手段は、通常遊技中に、前記レギュラーボーナスフラグが成立している場合、各リール１１，１２，１３の停止時に、レギュラーボーナス成立テーブルの内容を参照しながら、一定の引き込み停止制御を加えて半強制的に第２特別図柄（レギュラーボーナス図柄）を有効ライン上に停止させる。そして、有効ライン上にレギュラーボーナス図柄が停止することを条件に、予め設定された所定のゲーム回数（ここでは１２回）を上限として、現状遊技状態である通常遊技状態からレギュラーボーナスゲームに移行させ、その後元の遊技状態に復帰させるものである。レギュラーボーナスゲーム中は、有効ラインが１ラインのみとされている。
【００７０】
　制御装置５１は、「レギュラーボーナス中抽選手段」を備えている。レギュラーボーナス中抽選手段は、レギュラーボーナス中にのみ有効化され、スタート検出センサ６１からの検出信号が入力されたタイミングによって、所定の図柄（ここでは、リプレイ図柄）の抽選を行う。かかる図柄の抽選は、通常の抽選とは異なり、例えばレギュラーボーナス中はリプレイ図柄が有効ライン上に揃った場合に所定枚数（例えば１５枚）のメダルが払い出されるように設定しておき、かかるリプレイ図柄をメダル払出図柄として、当該メダル払出図柄が揃う条件を満たすか否かの抽選とされている。そして、前記レギュラーボーナス制御手段は、前記抽選の結果、リプレイフラグ（ここでいうリプレイフラグは通常遊技中のものとは異なり、レギュラーボーナス用に新たに設定されたものである。）が成立した場合には前記メダル払出図柄以外の図柄が有効ライン上に揃わないように各リール１１，１２，１３を制御するものであり、しかもメダル払出図柄が所定回数（例えば８回）揃った場合には前記所定の遊技回数（１２回）に達していなくともレギュラーボーナスゲームを終了させる。
【００７１】
　制御装置５１は、「ビッグボーナス抽選手段」を備えている。ビッグボーナス抽選手段は、スタート検出センサ６１からの検出信号が入力されたタイミングによって、ビッグボーナス移行条件が成立したか否かの抽選を行い、これによってビッグボーナス成立フラグの有無が決定される。
【００７２】
　制御装置５１は、「ビッグボーナス制御手段」を備えている。ビッグボーナス制御手段は、通常遊技中に、前記ビッグボーナスフラグが成立すると、各リール１１，１２，１３の停止時に、後述するビッグボーナス成立テーブルの内容を参照しつつ、一定の引き込み停止制御を加えて半強制的に第１特別図柄（ビッグボーナス図柄）を有効ライン上に停止させる。そして、有効ライン上にビッグボーナス図柄が停止することを条件に、現状遊技状態である通常遊技からビッグボーナスゲームに移行させ、その後、原則的には元の通常遊技状態に復帰させるものである。
【００７３】
　制御装置５１は、「ビッグボーナス中抽選手段」を備えている。ビッグボーナス中抽選手段は、ビッグボーナス中にのみ有効化され、スタート検出センサ６１からの検出信号が入力されたタイミングによって、小役図柄の抽選及びジャックインの抽選を行い、小役フラグ及びジャックインフラグの成立の有無が決定される。そして、前記ビッグボーナス制御手段は、小役フラグの成立によって所定の小役図柄を有効ライン上に揃わせるべく小役成立テーブルを参照しつつ各リール１１，１２，１３を半強制的に引き込み停止制御する。ここで、既述のとおり、本実施の形態では、ビッグボーナス中抽選手段によって、第１小役図柄及び第２小役図柄の抽選も行っている。即ち、ビッグボーナス中抽選手段によって、ビッグボーナスゲーム中においては、「白７・赤７・白７」図柄の組合せとしての第１小役図柄の抽選や、「白７・ＢＡＲ・白７」図柄の組合せとしての第２小役図柄の抽選も行われる。第１小役図柄及び第２小役図柄の抽選は、本実施の形態ではビッグボーナスゲーム時のメダル獲得枚数を増大させるべく、高確率で成立するように設定されている。また、ビッグボーナス中抽選手段は、ジャックインフラグの成立確率を１／１０に設定している。
【００７４】
　また、前記ビッグボーナス制御手段は、前記ジャックインフラグの成立によってジャックインさせるべく、リプレイ成立テーブルの内容を参照しつつ、各リール１１，１２，１３を半強制的に引き込み停止制御する。ジャックインとは、ビッグボーナスゲーム中に上記したレギュラーボーナスゲームと同様のゲームを実行させる状態であり、具体的には「リプレイ」図柄が揃うことによって生じる。従って、ジャックイン実行のためにビッグボーナス制御手段は、ジャックイン図柄（リプレイ図柄）を有効ライン上に揃わせるべく各リール１１，１２，１３を半強制的に引き込み停止制御する。ジャックインされると上記したレギュラーボーナスゲームと同様のゲームが実行される。
【００７５】
　ここで、ビッグボーナスゲームは、３０回の小役ゲームを消化するか、予め規定されたジャックイン回数（例えば３回）を消化すると終了するようになっている。なお、この場合、ジャックインゲームは１小役ゲームとして計算されている。
【００７６】
　制御装置５１は、「リール制御手段」及び「記憶手段」を備えている。リール制御手段は、記憶手段の記憶内容に応じて各リール１１〜１３を制御するものであり、特に記憶手段に記憶された各種テーブルの記憶内容に応じて各リール１１〜１３の停止位置を制御するものである。
【００７７】
　記憶手段（ここではＲＯＭであるがＲＡＭであってもよい。）に記憶された各種テーブルとは、成立した各種フラグに応じて個々に設定されたものである。具体的には、例えば何らフラグが成立していない場合にいずれの図柄をも有効ライン上に揃えないようにするための「外れテーブル」、小役フラグ（小役フラグにはベル図柄、スイカ図柄、チェリー図柄等の各小役に対応したそれぞれ異なるフラグが用意されている。）に対応して所定の小役図柄を有効ライン上に揃えるための「小役成立テーブル」（以下、特に第１小役図柄又は第２小役図柄のテーブルについて言及する場合は「第１小役成立テーブル」又は「第２小役成立テーブル」と称する）、リプレイフラグに対応してリプレイ図柄を有効ライン上に揃えるための「リプレイ成立テーブル」、ビッグボーナスフラグに対応して「赤７」図柄又は「白７」図柄を有効ライン上に揃えるための「ビッグ成立テーブル」、レギュラーボーナスフラグに対応して「ＢＡＲ」図柄を有効ライン上に揃えるための「レギュラー成立テーブル」等の他、以上の成立図柄をどの有効ライン上に揃えるかを決定するための「ラインテーブル」等である。
【００７８】
　次いで、表示制御装置８５に関して、それらの現実の構成自体に拘束されず、表示制御装置８５を機能実現手段の集合体としてとらえて説明する。即ち、以下に説明する各種機能はＣＰＵの制御下で実現される機能であり、その制御プログラムはＲＯＭ（場合によってはＲＡＭ）の記憶内容に基づくものであり、その時々の必要なデータはＲＡＭに一時的に記憶保持されることとなるが、それらのプログラム上の要件等については適宜のテーブル構成を採用する等で当業者がなし得るものであるため、個々には説明しない。但し、本実施形態の利点を把握するのに必要がある場合等については、適宜具体的な説明をする。
【００７９】
　表示制御装置８５は、「表示記憶手段」を備えている。「表示記憶手段」は具体的にはＲＯＭ又はＲＡＭ等によって実現されるものであり、補助表示部４９に表示すべき各種表示データが記憶されている。
【００８０】
　表示制御装置８５は、「補助表示制御手段」を備えている。補助表示制御手段は、補助表示部４９を表示制御するものであり、以下に説明する各種補助表示を実現する。
【００８１】
　即ち、まず、補助表示制御手段は、補助表示部４９に、少なくとも、小役フラグ或いはリプレイフラグの成立を報知する「ナビゲーション表示」と、ビッグボーナスフラグ或いはレギュラーボーナスフラグの成立時に小役フラグ等の成立と思わせる報知を行う「ナビゲーション外れ表示」とを行わせるように、当該補助表示部４９を表示制御する。なお、ナビゲーション表示とナビゲーション外れ表示とは、当該補助表示部４９の表示内容のみから区別することはできず、各リール１１，１２，１３の停止内容との関係から理解されるものである。
【００８２】
　即ち、補助表示制御手段は、「ナビゲーション表示」として、小役フラグ或いはリプレイフラグ成立時には、そのゲームの終了前迄にフラグ成立に該当する小役又はリプレイに対応する図柄を補助表示部４９に表示させ、遊技者に表示された図柄を停止させるように促すナビゲーション的な機能を発揮させる。
【００８３】
　一方、「ナビゲーション外れ表示」として、ビッグボーナスフラグ或いはレギュラーボーナスフラグ成立時には、本来フラグの成立していない小役或いはリプレイ図柄をそのゲームの終了前迄に補助表示部４９に表示させ、同じく遊技者に表示された図柄を停止させるように促すナビゲーション的な機能を発揮させるが、それら表示された図柄は本来フラグ成立していないのであるから実際にはその表示された図柄が有効ライン上に揃うことはない点で上記ナビゲーション表示とは意味内容が異なる。
【００８４】
　「ナビゲーション外れ表示」の演出は、遊技者にビッグボーナスフラグ或いはレギュラーボーナスフラグの成立を遊技者に発想させる処理に相当する。
【００８５】
　前記補助表示制御手段は、上記「ナビゲーション外れ表示」の演出を行うか否かを決定するための抽選を行っており、ビッグボーナスフラグ或いはレギュラーボーナスフラグ成立時には、所定確率（例えば９／１０の確率）下で「ナビゲーション外れ表示」を行う旨が選択されるようになっている。
【００８６】
　一方、前記補助表示制御手段は、上記「ナビゲーション外れ表示」の演出を一旦行った後は、その演出の起因となったビッグボーナスフラグ或いはレギュラーボーナスフラグに相対する図柄が停止されるまで、前記「ナビゲーション外れ表示」の演出を行う確率を上記所定確率よりも低確率（例えば１／１０の確率）に切り換えた状態で、「ナビゲーション外れ表示」の演出を行うか否かの抽選を行う。これによって、一旦「ナビゲーション外れ表示」の演出が行われた後は、繰り返し同様の趣旨の演出が実行される確率が低減される。
【００８７】
　次に、以上の構成からなるスロットマシン１の作用につき、遊技方法を踏まえて説明する。
【００８８】
　遊技の開始に際し、遊技者は、メダル投入口３１からメダルを投入するか、またはクレジット投入スイッチ３２〜３４を操作することにより貯留記憶に基づく仮想メダルを投入する。メダル投入口３１に投入されたメダルは投入メダル検出センサ６５によって検出され、その検出信号を受けて制御装置５１はメダルの投入があったことを判断する。一方、クレジット投入スイッチ３２〜３４の操作はクレジット投入検出センサ６６〜６８によって検出され、その検出信号を受けて制御装置５１は所定数の仮想メダルの投入があったことを判断する。
【００８９】
　これらのメダル投入枚数に応じて制御装置５１はメダル投入枚数情報データをサブ基盤側へ出力し、表示駆動回路８２は有効ライン表示部２１，２２，２３を点灯させる。ここで、１枚のメダル投入であれば有効ライン表示部２１のみが点灯されて中央の横ラインのみが有効化され、２枚のメダル投入であれば有効ライン表示部２１，２２が点灯されて中央及び上下の横ラインが有効化され、３枚のメダル投入であれば全ての有効ライン表示部２１，２２，２３が点灯されて全てのラインが有効化されたことを報知する。なお、クレジット投入スイッチ３２〜３４の操作によるメダル投入の場合には、制御装置５１はクレジットされているメダルの貯留記憶数をその分減算し、その減算値に応じた表示を残数表示部３８に行わせるように表示制御する。
【００９０】
　少なくとも１ラインが有効化されている時点で、遊技者がスタートレバー２５を操作すると、その操作がスタート検出センサ６１によって検出され、その検出信号を受けて制御装置５１はスタートレバー２５の操作があったことを判断する。すると、制御装置５１は、全てのリール１１，１２，１３を一斉（同時でもよいし所定の時間差を設けてもよい。）に回転させるべく、モータ駆動回路８１を介して各リールモータ１５，１６，１７を駆動制御する。その結果、各リール１１，１２，１３は遊技者にとっては表面に付された図柄を目視することが困難な程の速度で一方向に回転し、各表示窓５，６，７を介して各図柄があたかも上から下へ向かって可変表示されているかのように映し出される。
【００９１】
　ところで、本実施の形態においては、１枚ベット〜３枚ベット（マックスベット）のうち、１枚ベット及び２枚ベットの場合と３枚ベット（マックスベット）の場合とで、スタートレバー２５の操作に基づく制御装置５１の判断態様が異なるように構成されている。
【００９２】
　即ち、現在、１枚ベット、２枚ベット、マックスベットのいずれであるかを制御装置５１が常に把握しており、マックスベット時にはスタートレバー２５が操作されると、スタート検出センサ６１がオン信号を制御装置５１に出力されることで、制御装置５１においてスタートレバー２５の操作が有効なものと判断される。その結果、全てのリール１１，１２，１３が回転開始される。
【００９３】
　一方、１枚ベット又は２枚ベット時にはスタートレバー２５が単に操作されるだけではリール１１，１２，１３は回転開始せず、スタートレバー２５をいわゆるダブルクリック操作した場合にはじめてリール１１，１２，１３が回転開始するようになっている。より詳細に説明すると、スタートレバー２５が１回操作されるとスタート検出センサ６１からはオン信号が制御装置５１に出力されるが、その後、更にスタートレバー２５が所定の短時間（例えば１秒）以内に操作されてスタート検出センサ６１から再度オン信号が制御装置５１に出力された時点でスタートレバー２５の操作が有効なものと判断され、この時点ではじめて全てのリール１１，１２，１３が回転開始される。即ち、制御装置５１は１枚ベット又は２枚ベット時には所定の短時間（例えば１秒）以内にスタート検出センサ６１から２回のオン信号が出力されるか否かを判断し、その判断の結果、２回のオン信号が出力された時点でスタート有効化処理を実行するのである。
【００９４】
　これにより、１枚ベット時又は２枚ベット時に誤ってスタートレバー２５を操作したとしても（誤ってスタートレバー２５に触れてしまっても）、その操作は無効なものとされ、当り確率の低い１枚ベット又は２枚ベットでの遊技が無駄に行われる事態を回避することができる。勿論、例えば残り１枚しかメダルが残っていないという状況で遊技者が１枚ベットでの遊技を望む場合には、スタートレバー２５をいわゆるダブルクリック操作すればよいのであり、１又は２枚の残存メダルが全くの無駄になることもない。
【００９５】
　前記スタートレバー２５の操作に基づく検出信号が制御装置５１に入力されたタイミングで、通常遊技中では、小役抽選手段、リプレイゲーム抽選手段、レギュラーボーナス抽選手段、ビッグボーナス抽選手段による各抽選が行われる。
【００９６】
　小役抽選手段による抽選結果が、小役フラグ成立を意味する場合は、適宜の小役図柄を有効ライン上に停止させ得る権利がそのゲームにおいてのみ与えられる。また、リプレイゲーム抽選手段による抽選結果が、リプレイフラグ成立を意味する場合は、リプレイゲームへ移行する権利がそのゲームにおいてのみ与えられる。また、レギュラーボーナス抽選手段による抽選結果がレギュラーボーナスフラグ成立を意味する場合は、レギュラーボーナスゲームへ移行する権利が与えられ、そのフラグはレギュラーボーナスゲームへ移行するまで保持される。また、ビッグボーナス抽選手段による抽選結果がビッグボーナスフラグ成立を意味する場合は、ビッグボーナスゲームへ移行する権利が与えられ、そのフラグはビッグボーナスゲームへ移行するまで保持される。さらに、各抽選手段の抽選結果が、いずれの条件成立をも意味しない場合には、いずれのフラグもたたない。
【００９７】
　以上の各抽選手段による抽選が終了した後、遊技者がストップスイッチ２７，２８，２９を任意の順序で操作すると、その操作がそれぞれストップ検出センサ６２，６３，６４によって個別に検出され、各検出信号を受けて制御装置５１は各ストップスイッチ２７，２８，２９の操作があったことを判断する。すると、制御装置５１は、操作された各ストップスイッチ２７，２８，２９に対応したリール１１，１２，１３を個別に停止させるべく、モータ駆動回路８１を介して各リールモータ１５，１６，１７を停止制御する。
【００９８】
　これら各リール１１，１２，１３の停止位置は、上記各抽選手段による抽選結果である各成立フラグに基づき、制御装置５１の記憶手段に記憶されている前記各テーブルを参照して決定される。従って、有効ラインからリール回転方向手前の４図柄分までに成立フラグに対応した図柄が存在すれば、原則として、その図柄が積極的に有効ライン上に引き込まれるような制御がなされることとなり、リール停止タイミングが４図柄分手前までの誤差であれば、その誤差を吸収することができる。その結果、遊技者が熟練していなくとも制御装置５１によって成立フラグに応じた図柄を有効ライン上に極力停止させることが可能となる。
【００９９】
　各リール１１，１２，１３の停止時において、有効ライン上の停止図柄の組合せが、予め定められた所定の図柄の組合せである場合、即ち小役図柄の組合せ、リプレイ図柄の組合せ、第１特別図柄（ビッグボーナス図柄）の組合せ、第２特別図柄（レギュラーボーナス図柄）の組合せである場合、制御装置５１はサブ基盤側の表示駆動回路８２を介して各停止図柄の組合せに応じて払い出されるメダル数を獲得数表示部３９に表示させる。
【０１００】
　制御装置５１は、サブ基盤を介した獲得数表示部３９への表示と並行して、各停止図柄の組合せに応じた数のメダルを遊技価値として払い出すための払出制御を行う。かかるメダルの払出は、制御装置５１がホッパ駆動回路８３を介してホッパ装置４１を駆動することにより、メダル排出口４２から受皿４３へ直接的に現実のメダルとして払い出される。ただし、切換スイッチ３６の操作を切換検出センサ６９が検出し、制御装置５１がクレジットモードであると判断した場合において貯留記憶できる最大値（５０枚分）に達していない場合には、その分が直接ホッパ装置４１を駆動することなく、クレジットメダルとして貯留記憶される。この場合、制御装置５１はクレジットされているメダルの貯留記憶数に今回獲得したメダル数分を加算し、その加算値に応じた表示を残数表示部３８に行わせるようにサブ基盤を介して表示制御する。勿論、この場合でも貯留記憶できる最大値である５０枚分を越えた分はホッパ装置４１より直接メダルが払い出される。
【０１０１】
　そして、有効ライン上に揃った図柄が小役図柄或いは何ら払出のない図柄の組合せである場合には、通常遊技が続行される。一方、有効ライン上に揃った図柄の組合せがリプレイ図柄の組合せである場合にはリプレイゲーム制御手段によって次回のゲームを無償で行うことができるリプレイゲームが実行される。また、有効ライン上に揃った図柄の組合せがレギュラーボーナス図柄の組合せである場合にはレギュラーボーナス制御手段によってレギュラーボーナスゲームが実行される。また、有効ライン上に揃った図柄の組合せがビッグボーナス図柄の組合せである場合にはビッグボーナス制御手段によってビッグボーナスゲームが実行される。
【０１０２】
　なお、小役図柄が有効ライン上に揃った場合、制御装置５１は、表示駆動回路８２を介して小役報知部４８を表示制御して小役成立を表示報知するとともに、スピーカ駆動回路８４を介してスピーカ５０を駆動制御して小役成立を音声報知する。また、リプレイ図柄が有効ライン上に揃った場合、制御装置５１は、表示駆動回路８２を介してリプレイ報知部４７を表示制御してリプレイゲームへの移行を表示報知するとともに、スピーカ駆動回路８４を介してスピーカ５０を駆動制御してリプレイゲームへの移行を音声報知する。
【０１０３】
　また、レギュラーボーナス図柄が有効ライン上に揃った場合、制御装置５１は、表示駆動回路８２を介してレギュラー報知部４６を表示制御してレギュラーボーナスゲームへの移行を表示報知するとともに、スピーカ駆動回路８４を介してスピーカ５０を駆動制御してレギュラーボーナスゲームへの移行を音声報知する。
【０１０４】
　また、ビッグボーナス図柄が有効ライン上に揃った場合、制御装置５１は、表示駆動回路８２を介してビッグ報知部４５を表示制御してビッグボーナスゲームへの移行を表示報知するとともに、スピーカ駆動回路８４を介してスピーカ５０を駆動制御してビッグボーナスゲームへの移行を音声報知する。
【０１０５】
　これらスピーカ５０による音声報知は、遊技者への遊技価値返還による利益が大きいもの程大袈裟なもの（音量を大きくしたり、トーンを高くしたり、リズムを変化させる等）とすることが好ましい。各報知部４５〜４８の表示態様についても同様であり、例えばビッグボーナスゲームではめまぐるしく点滅させる等のように表示態様を変化させることによって、得られる利益の大きさを遊技者に推し量らせることができる。
【０１０６】
　次いで、補助表示部４９のナビゲーション表示演出及びナビゲーション外れ表示演出と関連する部分について説明する。
【０１０７】
　まず、「ナビゲーション表示」演出について説明すると、小役フラグ或いはリプレイフラグ成立時に、補助表示制御手段は記憶手段の記憶内容をもとにその成立フラグに相対する図柄を抽出し、補助表示部４９に表示させる。かかる表示は、スタートレバー２５の操作が検出されたことに応答して行われる。即ち、遊技者がストップスイッチ２７〜２９を操作する前に補助表示部４９に所定の図柄が表示されることとなり、遊技者はその図柄を参照することで、今回のゲームで成立し得る図柄を把握することができる。例えば、リプレイフラグが成立している場合には、図５に示すように、リプレイ図柄を補助表示部４９に表示させる。
【０１０８】
　このリプレイ図柄を補助表示部４９に表示した状態について説明すると、図５に示すように、リプレイゲーム制御手段は、リプレイフラグの成立に応答して、記憶手段のリプレイ成立テーブルを参照しつつストップスイッチ２７〜２９の操作に応答して、リプレイ図柄を所定の有効ライン（図５では右上がりライン）に停止させる。
【０１０９】
　従って、遊技者は、補助表示部４９による表示内容と実際に各リール１１，１２，１３停止時の有効ライン上の成立図柄とが対応していることを知ることができる。
【０１１０】
　次に、「ナビゲーション外れ表示」演出について説明すると、ビッグボーナスフラグ或いはレギュラーボーナスフラグ成立時に、補助表示制御手段は表示制御装置８５の記憶手段の記憶内容をもとにその成立フラグに相対する図柄を抽出するのではなく、これら図柄とは別の小役或いはリプレイ図柄を抽出し、補助表示部４９に表示させる。かかる表示は、「ナビゲーション表示」演出の場合と同様、スタートレバー２５の操作が検出されたことに応答して行われる。即ち、遊技者がストップスイッチ２７〜２９を操作する前に補助表示部４９に所定の図柄が表示される。例えば、補助表示制御手段がリプレイ図柄を抽出した場合には、リプレイ図柄を補助表示部４９に表示させる。従って、補助表示部４９に図柄表示がなされた時点では遊技者はナビゲーション表示なのかナビゲーション外れ表示なのかは理解できないので、もしも表示図柄に対応する小役等の図柄が有効ライン上に揃えばナビゲーション表示演出であったことが事後的に判断でき、表示図柄に対応する小役等の図柄が有効ライン上に揃わなければナビゲーション外れ表示演出であったことが事後的に判断できる。
【０１１１】
　ここで、ナビゲーション外れ表示演出を行う場合には、補助表示部４９にて表示されている図柄を強制的にテンパイさせるための処理を行い、本来フラグ成立しているビッグボーナス図柄等を揃わせないようにすることが好ましい。具体的には、図６に示すように、ビッグボーナスフラグが成立した状態で例えばリプレイ図柄が補助表示部４９に表示されているとき、リール制御手段はリプレイ成立テーブルを参照して、第１番目と第２番目のリール１１，１２を、有効ライン上にリプレイ図柄がテンパイするように停止させ、第３番目即ち最後のリール１３が停止するときは、別途記憶手段に記憶されたテンパイ外れテーブルを参照する等して、図６に示すように、最後に停止する右リール１３には右上がりライン上にリプレイ図柄が停止することがなく、テンパイ外れ目となるようにすることが好ましい。このように、２つのリール１１，１２を停止させた状況では、未だナビゲーション表示演出なのかナビゲーション外れ表示演出なのかが判然とせず、最後のリールが停止した時点で図６のようにリプレイ図柄が外れることで初めてナビゲーション外れ表示演出であったことがわかり、遊技者に対しナビゲーション外れ表示演出の面白味を強調することができ、遊技の興趣が高まる。
【０１１２】
　以上のナビゲーション表示及びナビゲーション外れ表示演出については、リプレイ図柄とビッグボーナスフラグとの関係について説明したが、補助表示部４９に他の表示図柄、例えば小役図柄が表示される場合もあり、またレギュラーボーナスフラグ成立時にも同様の演出が可能であることはいうまでもない。
【０１１３】
　また、ビッグボーナスフラグ或いはレギュラーボーナスフラグの成立以降、上記のようなナビゲーション外れ表示演出を必要以上に繰り返すとすればその面白味も半減してしまう。
【０１１４】
　この点、本実施の形態では、補助表示制御手段は、ビッグボーナスフラグ或いはレギュラーボーナスフラグ成立時には、所定確率（例えば９／１０の確率）でもって「ナビゲーション外れ表示」を行う旨を選択するようになっている一方で、当該「ナビゲーション外れ表示」の演出を一旦行った後は、その演出の起因となったビッグボーナスフラグ或いはレギュラーボーナスフラグに相対する図柄が停止されるまで、前記「ナビゲーション外れ表示」の演出を行う確率を上記所定確率よりも低確率（例えば１／１０の確率）に切り換える。
【０１１５】
　従って、「ナビゲーション外れ表示」が必要以上に繰り返されることがなくなり、遊技の興趣を低減させる事態を回避し得る。
【０１１６】
　次いで、本実施の形態におけるビッグボーナスゲームの制御及び遊技の進行について説明すると、ビッグボーナスフラグの成立後、遊技者の操作或いは所定時間の経過に基づき各リール１１〜１３が停止され、有効ライン上にビッグボーナス図柄が停止されると、ビッグボーナスゲームに突入する。
【０１１７】
　スーパービッグボーナスゲームに突入すると、ビッグボーナス制御手段は、小役ゲーム数の最大値を３０ゲームとして小役ゲームを進行させ、ジャックインゲームが３回終了すると途中で強制的にビッグボーナスゲームを終了させる。なお、上述のとおり、ビッグボーナス中抽選手段はジャックインフラグの成立確率を１／１０に設定しているが、この設定によればジャックインフラグは１０ゲームにつき１回程度の割合で成立することが期待される。
【０１１８】
　さて、本実施の形態のスロットマシン１には、遊技者が所望の図柄を停止させることができるように、目押し補助機能が搭載されている。そこで、当該目押し補助機能の構成及び作用効果について説明する。
【０１１９】
　図１に示すように、フロントパネル３のストップスイッチ２７〜２９の上方位置には、遊技者によって操作される選択操作手段としてのボタン状の選択スイッチ９１が設けられている。選択スイッチ９１の設置位置は図示された位置に限られず、遊技者によって操作可能な位置であればよく、選択スイッチ９１の構成もボタン状のものに限らずタッチパネル等の他の構成であってもよい。
【０１２０】
　図４に示すように、選択スイッチ９１は、選択検出センサ９２を介して制御装置５１に接続されている。従って、選択スイッチ９１が押し下げ操作される毎に選択検出センサ９２がその操作を検出し、制御装置５１に操作信号を出力する。制御装置５１では、操作信号の入力毎に、目押し補助のためのモード切換を実行する。なお、選択スイッチ９１及び選択検出センサ９２からの信号がメイン基板たる制御装置５１にではなくサブ基板に直接伝送されるようにしてもよい。
【０１２１】
　即ち、本実施の形態では、「白７」図柄、「赤７」図柄、「ＢＡＲ」図柄、「ベル」図柄、「スイカ」図柄、又は「チェリー」図柄の各図柄の遊技者による目押し（当該図柄を停止させるためのストップスイッチ２７〜２９の操作）を補助するための各モード、そのような補助を実行しないためのモードの計７モードの切換が行われるようになっている。
【０１２２】
　例えば、制御装置５１の制御下、電源投入時には、目押し補助を実行しないモードとなっており、１回目の選択スイッチ９１の操作で「白７」図柄の目押し補助モードとなり、２回目の選択スイッチ９１の操作で「赤７」図柄の目押し補助モードとなり、３回目の選択スイッチ９１の操作で「ＢＡＲ」図柄の目押し補助モードとなり、４回目の選択スイッチ９１の操作で「ベル」図柄の目押し補助モードとなり、５回目の選択スイッチ９１の操作で「スイカ」図柄の目押し補助モードとなり、６回目の選択スイッチ９１の操作で「チェリー」図柄の目押し補助モードとなり、７回目の選択スイッチ９１の操作で再び目押し補助を実行しないモードに戻り、以降、選択スイッチ９１の操作によって上記各モードを循環して切換えるようになっている。
【０１２３】
　かかる選択スイッチ９１の操作に応じてモードが設定されると、その操作の度に制御装置５１は表示制御装置８５を介して補助表示部４９に現在のモードを表示させるように表示制御する。従って、例えば、電源投入後に選択スイッチ９１が操作されると、補助表示部４９には「白７」図柄を目押し補助する旨の表示が直接的或いは間接的に表示される。直接的な表示とは例えば文字情報による具体的な表示を言い、間接的な表示とは例えば該当図柄が一旦表示されるような抽象的な表示を言う。
【０１２４】
　かかる目押し補助のための構成について説明すると、図７に示すように、各リール１１〜１３の内周側にはＬＥＤ等のランプからなる発光手段としての目押し表示部９３がそれぞれ配置されている。一方、リール１１〜１３に付された各図柄には光透過領域９４が形成されている。そして、表示窓５〜７からみると、目押し表示部９３の点灯時にはその光が光透過領域９４を介して遊技者に見えるようになっている。なお、本実施の形態では、目押し表示部９３及び光透過領域９４によってタイミング報知手段が構成されている。
【０１２５】
　ここで、選択スイッチ９１が操作されて「白７」図柄の目押し補助モードになっている場合について説明すると、リール１１〜１３の回転時に制御装置５１は、左リール１１についてはその２０番目の図柄である「白７」図柄の光透過領域９４が目押し表示部９３と相対する位置にくる度に当該目押し表示部９３が点灯される。従って、遊技者が見ると、リール１１が一周する毎に目押し表示部９３が点灯され、その点灯タイミングによってストップスイッチ２７の操作タイミングがわかることとなる。
【０１２６】
　同様に、中リール１２であれば第１０番目の「白７」図柄のタイミングで目押し表示部９３が点灯され、右リール１３であれば第２０番目の「白７」図柄のタイミングで目押し表示部９３が点灯されるので、その点灯タイミングに従って次々とストップスイッチ２８，２９を操作していけば、その際にビッグボーナスフラグが成立していると有効ライン上に「白７」図柄の組み合わせを成立させることができる。
【０１２７】
　また、例えばレギュラーボーナスフラグが成立していると考える遊技者であれば選択スイッチ９１を操作して「ＢＡＲ」図柄の目押し補助モードにすればよい。他の図柄についても同様である。
【０１２８】
　このように、本実施の形態によれば、遊技者が目押し補助してもらいたい図柄について、選択スイッチ９１の積極操作によって選択して目押し補助を実行させることができるので、図柄の配列を熟知していないとか動体視力が低いような遊技者にとっても所望の図柄を狙ってストップスイッチ２７〜２９を操作することができ、遊技の興趣低下を防止することができる。
【０１２９】
　また、現在のモード選択状況が補助表示部４９によって報知されるので、現在のモードを遊技者に明確に把握させることができる。さらに、リール１１〜１３が１周する毎に１回だけ点灯する目押し補助としたので、１周につき何回も点灯するような場合よりも目押しタイミングを図り易い利点がある。
【０１３０】
　以下、他の実施形態について説明する。
【０１３１】
　（ａ）図８に示すように、「白７」図柄については光透過領域９４ａを左側に、そこから右へ向かって光透過領域が相互に重ならないように、「赤７」図柄、「ＢＡＲ」図柄、「ベル」図柄、「スイカ」図柄、「チェリー」図柄、「リプレイ」図柄について順次光透過領域９４ｂ〜９４ｇを設ける。そして、各光透過領域９４ａ〜９４ｇに対応して各リール１１〜１３の内周側に目押し表示部９３ａ〜９３ｇを配置する。各リール１１〜１３においては同一図柄については一つだけ光透過領域９４ａ〜９４ｇを設ける。例えば、左リール１１の「赤７」図柄は第８番目と第２１番目に付されているが、このうち第２１番目だけに光透過領域９４ｂを設ける。このような構成において、例えば選択スイッチ９１によって「赤７」図柄の目押し補助モードが設定されている場合、目押し表示部９３ｂだけを点灯させ、他の目押し表示部９３ａ，９３ｃ〜９３ｇについては消灯させる。これにより、「赤７」図柄についてリール１１〜１３の１周につき１回だけ点灯され、他の図柄については点灯されないので、「赤７」図柄の停止タイミングがわかりやすくなる。
【０１３２】
　（ｂ）目押し補助のための構成としては、以上の目押し表示部及び光透過領域の組み合わせに代えて、発光手段としてのブラックライトを使用したものも可能である。ブラックライトとは長波長の紫外線を照射するための照明器具をいい、表面処理手段としての蛍光塗料が塗布された物体を光らせる機能を有する。蛍光塗料としては９色程度があり、各リール１１〜１３において、前記（ａ）の例で示した光透過領域９４ａ〜ｇに代えて各色の蛍光塗料を付しておく。これにより、ブラックライトの照射によって図柄毎に異なる色が現れ、これを頼りに目押しをすることができる。
【０１３３】
　（ｃ）所定の図柄を見易くするために、ストロボ機能を搭載してもよい。例えば、「赤７」図柄の目押し補助が選択された場合には、有効ライン上に「赤７」図柄が配置されるタイミングでストロボが発光されると、その残像によって「赤７」が有効ライン上に現れるタイミングを図ることができる。制御装置５１は選択された図柄に対応してストロボを発光させるタイミングを制御すればよい。
【０１３４】
　（ｄ）所定の図柄を見易くするために、シャッター機能を搭載してもよい。シャッターは機械的なシャッターでも液晶シャッターでもよい。例えば、「赤７」図柄の目押し補助が選択された場合には、有効ライン上に「赤７」図柄が配置されるタイミングでシャッターを開放してそれ以外の場合にはシャッターを閉じるようにすれば、リール１１〜１３があたかもコマ送りされているかのように映し出され、「赤７」が有効ライン上に現れるタイミングを図ることができる。制御装置５１は選択された図柄に対応してシャッターを開閉させるタイミングを制御すればよい。
【０１３５】
　（ｅ）リール１１〜１３には目押し補助を必要とする所定の図柄にそれぞれ赤、青又は緑色の光透過領域を形成し、リール１１〜１３の内部に赤、青及び緑色に発光する３色ＬＥＤを設けてもよい。この場合、ＬＥＤが赤色に発光すると光透過領域の赤、青及び緑色の全てについて光が透過するのであるが、光透過領域が赤の箇所、即ちＬＥＤと同色の部分について最も鮮やかに遊技者に見えることとなる。従って、この原理を利用して、赤色の光透過領域が形成された図柄の目押し補助を行いたい場合には、赤色ＬＥＤを発光させるようにすれば、色鮮やかな赤色の通過にあわせて遊技者にとっての目押し補助となる。勿論、３色ＬＥＤはその発光組み合わせによって各種色を発現し得るため、その色とリール１１〜１３の適宜箇所の色との組み合わせによって遊技者への見易さを考慮した設定が可能である。また、リール１１〜１３の各図柄はもともと光透過性を有しており、特に赤色の図柄についてはリール１１〜１３の内部より赤色発光させると当該図柄が鮮明に映し出される。これであっても、目押し補助が可能である。
【０１３６】
　(ｆ）上記実施の形態では、１周につき１回の目押し表示部９３の点灯によって目押しタイミングを報知していたが、通常、リール１１〜１３は約７５０ｍｓ周期で周回するため、これでも点灯タイミングが早すぎると感じる遊技者がいると想定される。そこで、２周につき１回の報知として１．５ｓ周期としたり、３周につき１回の報知として２．２５ｓ周期とする等、複数周につき１回の報知として目押しタイミングの周期を長くしてもよい。この場合、更に周期を変化させるためのタイミングスイッチをスロットマシン１に搭載しておき、遊技者がタイミングスイッチを操作する毎に周期の長い遅いを決定するようにしてもよく、この場合は制御装置５１が目押し表示部９３の点灯タイミングを変化させるように制御すればよい。
【０１３７】
　（ｇ）目押し補助として、点灯タイミングや、ブラックライトと蛍光塗料との組み合わせなどの視覚的な報知について説明したが、これに代えて、或いはこれに加えて、スピーカ５０を介して音声によってタイミング報知してもよい。また、視覚的な報知の他の例として、リール１１〜１３とは別にタイミング報知する表示手段を設けてもよい。
【０１３８】
　（ｈ）目押し補助を常に行うのではなく、ビッグボーナスフラグ成立等の内部抽選によって当選したフラグに対応した図柄についてだけ、目押し補助を実行するようにしてもよい。この場合、制御装置５１はフラグ成立と選択スイッチ９１による操作を監視し、成立したフラグと相対する目押し補助モードが選択されている場合にだけ目押し表示部９３を点灯させることができる。
【０１３９】
　（ｉ）ナビゲーション表示演出及びナビゲーション外れ表示演出に関し、補助表示部４９にはスタートレバー２５の操作に応答してリール回転開始に相前後する時期に表示されることとしたが、リール回転後、例えば第１番目のリール停止後、第２番目のリール停止後、第３番目即ち全てのリール停止後、所定時間経過後等のように表示時期を適宜変更してもよいし、その都度変更してもよい。即ち、ナビゲーション表示及びナビゲーション外れ表示演出は事後報知であってもよい。
【０１４０】
　（ｊ）補助表示部４９には、ナビゲーション表示演出等を実行するための表示がなされるものとして説明したが、これに加えて、他の表示を行うようにしてもよい。例えば遊技者が遊技をしていない状況下では遊技方法を解説する表示を行ったり、ビッグボーナスフラグ成立の告知を行ったり、キャラクタ等の演出用図柄を表示して表示内容に重み付けをするようにしてもよい。
【０１４１】
　（ｋ）ナビゲーション表示等のための補助演出を液晶表示器，ドットマトリックス表示器等による補助表示部４９を用いて実現したが、フロントパネル３にリール１１，１２，１３に付された図柄と同様の図柄を付しておき、その図柄をバックライト点灯等によって明るくして報知するようにしたもよい。また、以上例示した電気的表示器に代えて、ナビゲーション用リール等の機械的表示器を用いてもよい。更に、「スイカ」図柄を緑色，「ベル」図柄を黄色といったように遊技者に直感でどの図柄を示しているかを理解させることができる複数色を発光可能な構成としておき、その色によってナビゲーションの状況を判別させるようにしてもよい。更に又、以上例示した表示報知に代えて或いはそれに加えて、音声によって報知するようにしたもよい。この場合、スピーカ５０がそのナビゲーション機能を有することとなる。
【０１４２】
　（ｌ）ビッグボーナスゲーム及びレギュラーボーナスゲームを有するスロットマシン１について説明したが、これ以外のスロットマシンに適用してもよい。例えば、ビッグボーナスゲームについて、ゲーム中の遊技内容が異なり期待される獲得メダル数の異なる複数種のビッグボーナスゲームを有するものであってもよく、この場合、上記実施形態における「赤７」図柄と「白７」図柄とで異ならせること等によって識別可能とすればよい。また、レギュラーボーナスゲームを省略したものとしてもよく、逆にビッグボーナスゲームを省略したものとしてもよい。更に、ビッグボーナスゲーム後に所定条件成立（所定ゲーム回数の終了、所定フラグ成立等）までメダルの消費を抑えてゲームを進行し得るチャンスゲーム機能等の各種付加価値を設けたものとしてもよい。
【０１４３】
　（ｍ）各リール１１，１２，１３の図柄としては、絵、数字、文字等に限らず、幾何学的な線や図形等であってもよい。また、光や色等によって図柄を構成することも可能であるし、立体的形状等によっても図柄を構成し得るし、これらを複合したものであっても図柄を構成し得る。即ち、図柄は識別性を有した情報（識別情報）としての機能を有するものであればよい。
【０１４４】
　（ｎ）遊技機として回胴式遊技機、特にスロットマシン１について具体化した例を示したが、ストップスイッチ等の停止操作機能を有するパチンコ機に具体化してもよい。また、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【図面の簡単な説明】
【０１４５】
【図１】一実施の形態におけるスロットマシンの正面図。
【図２】スロットマシンの左側面図。
【図３】各リールの図柄配列を示す説明図。
【図４】スロットマシンのブロック回路図。
【図５】リール及び補助表示部の表示演出を説明する説明図。
【図６】リール及び補助表示部の表示演出を説明する説明図。
【図７】リール部分の一部拡大図。
【図８】他の実施の形態を示すリール部分の一部拡大図。
【符号の説明】
【０１４６】
　１…遊技機としての回胴式遊技機たるスロットマシン、２…マシン本体、３…フロントパネル、５，６，７…表示窓、１１…可変表示手段を構成する左リール、１２…可変表示手段を構成する中リール、１３…可変表示手段を構成する右リール、１５…可変表示手段を構成する左リールモータ、１６…可変表示手段を構成する中リールモータ、１７…可変表示手段を構成する右リールモータ、２１，２２，２３…有効ライン表示部、２５…始動操作手段としてのスタートレバー、２７，２８，２９…停止操作手段としてのストップスイッチ、３１…入力手段としてのメダル投入口、３２，３３，３４…入力手段としてのクレジット投入スイッチ、３６…切換スイッチ、３８…残数表示部、３９…獲得数表示部、４１…出力手段としてのホッパ装置、４５…報知手段又は表示報知手段としてのビッグ報知部、４６…表示報知手段としてのレギュラー報知部、４７…表示報知手段としてのリプレイ報知部、４８…表示報知手段としての小役報知部、４９…処理手段又は報知手段としての補助表示部、５１…各種制御手段（リール制御手段）及び記憶手段を構成する制御装置、６１…始動操作検出手段としてのスタート検出センサ、６２，６３，６４…停止操作検出手段としてのストップ検出センサ、６５…入力検出手段としての投入メダル検出センサ、６６，６７，６８…入力検出手段としてのクレジット投入検出センサ、６９…切換検出センサ、７１，７２，７３…リール位置検出手段としてのリール位置検出センサ、７４…出力検出手段としてのホッパ検出センサ、８５…補助表示制御手段としての表示制御装置８５、９１…選択操作手段としての選択スイッチ、９３，９４…タイミング報知手段としての目押し表示部及び光透過領域。
【図１】
2004105757.tif 000003
【図２】
2004105757.tif 000004
【図３】
2004105757.tif 000005
【図４】
2004105757.tif 000006
【図５】
2004105757.tif 000007
【図６】
2004105757.tif 000008
【図７】
2004105757.tif 000009
【図８】
2004105757.tif 000010